(57)【要約】【課題】抽出ユニットの清掃作業を簡易なものとすること。【解決手段】前面に前面開口１０ａを有する直方状の本体キャビネット１０と、前面開口１０ａを開閉する態様で本体キャビネット１０の一側縁部に揺動可能に設けられた前面扉７０とを備え、所定個所に載置された容器Ｃに対して、本体キャビネット１０の内部で調理した飲料を供給する飲料供給装置であって、飲料原料を粉砕し、粉砕した飲料原料と湯とから飲料を抽出して容器Ｃに供給する抽出ユニット２０が、本体キャビネット１０の内部における他側縁部側に設置されている。【選択図】図３
2020080002.tif 000002
【特許請求の範囲】
【請求項１】
前面に前面開口を有する直方状の本体キャビネットと、
前記前面開口を開閉する態様で前記本体キャビネットの一側縁部に揺動可能に設けられた前面扉と
を備え、所定個所に載置された容器に対して、前記本体キャビネットの内部で調理した飲料を供給する飲料供給装置であって、
飲料原料を粉砕し、粉砕した飲料原料と湯とから飲料を抽出して前記容器に供給する抽出ユニットが、前記本体キャビネットの内部における他側縁部側に設置されたことを特徴とする飲料供給装置。
【請求項２】
粉末原料と湯とから飲料を生成して前記容器に供給する生成ユニットが、前記本体キャビネットの内部における前記抽出ユニットよりも前記一側縁部側に設置されたことを特徴とする請求項１に記載の飲料供給装置。
【請求項３】
前記抽出ユニットと前記生成ユニットとの間であって前記本体キャビネットの後方下部に配設され、内蔵する排気ファンの作用により該抽出ユニット及び該生成ユニットで生じた蒸気を吸引するファンボックスと、
前記ファンボックスの前面に形成されたフィルタ開口を通じて、該ファンボックスに挿脱可能に装着されたファンフィルタと
を備えたことを特徴とする請求項２に記載の飲料供給装置。
【請求項４】
前記抽出ユニットで抽出された飲料、並びに前記生成ユニットで生成された飲料を前記容器に吐出するノズルが前記本体キャビネットに設けられたことを特徴とする請求項２又は請求項３に記載の飲料供給装置。
【請求項５】
前記本体キャビネットの上面における前記抽出ユニットの上方域部分に補充開口が形成されるとともに、該補充開口を開閉するための補充扉が設けられており、
前記補充扉は、前記前面扉が前記前面開口を閉塞する場合には、開く方向に揺動することが規制される一方、前記前面扉が前記前面開口を開放する場合には、開く方向に揺動することが許容されることを特徴とする請求項１〜４のいずれか１つに記載の飲料供給装置。
【発明の詳細な説明】
【技術分野】
【０００１】
本発明は、飲料供給装置に関するものである。
【背景技術】
【０００２】
従来、容器に対して飲料を供給する飲料供給装置が特許文献１に提案されている。かかる飲料供給装置は、本体キャビネットの内部に配設された抽出ユニットにて、粉砕された飲料原料と湯とから飲料を抽出し、抽出した飲料をカップ等の容器に供給するものである。
【０００３】
この抽出ユニットは、シリンダと、蓋体と、フィルタブロックとを備えて構成されている。シリンダは、略円筒状の形態を成している。蓋体は、シリンダの上方域において、該シリンダの上面開口を開閉する態様で該シリンダに近接離反する態様で移動可能に設けられている。フィルタブロックは、シリンダの下方域において、該シリンダに近接離反する態様で移動可能に設けられており、フィルタを介してシリンダの下面開口を閉成して飲料を抽出し、抽出した飲料を送出するものである。
【先行技術文献】
【特許文献】
【０００４】
【特許文献１】特開２００６−１９０２３８号公報
【発明の概要】
【発明が解決しようとする課題】
【０００５】
ところで、上述した飲料供給装置においては、抽出ユニットを構成するシリンダ等を本体キャビネットから一旦取り外して洗浄したり、抽出ユニットによる飲料の抽出により生じた抽出滓を廃棄したりする清掃作業を定期的に行うのが一般的である。
【０００６】
その一方、上述した飲料供給装置においては、設置環境の自由度の向上等から、装置全体の小型化を図ることが求められている。
【０００７】
そのような小型化を図ると、抽出ユニットと、本体キャビネットの壁面とのスペースが小さくなり、上記清掃作業が煩雑なものとなる虞れがあった。
【０００８】
本発明は、上記実情に鑑みて、抽出ユニットの清掃作業を簡易なものとすることができる飲料供給装置を提供することを目的とする。
【課題を解決するための手段】
【０００９】
上記目的を達成するために、本発明に係る飲料供給装置は、前面に前面開口を有する直方状の本体キャビネットと、前記前面開口を開閉する態様で前記本体キャビネットの一側縁部に揺動可能に設けられた前面扉とを備え、所定個所に載置された容器に対して、前記本体キャビネットの内部で調理した飲料を供給する飲料供給装置であって、飲料原料を粉砕し、粉砕した飲料原料と湯とから飲料を抽出して前記容器に供給する抽出ユニットが、前記本体キャビネットの内部における他側縁部側に設置されたことを特徴とする。
【００１０】
また本発明は、上記飲料供給装置において、粉末原料と湯とから飲料を生成して前記容器に供給する生成ユニットが、前記本体キャビネットの内部における前記抽出ユニットよりも前記一側縁部側に設置されたことを特徴とする。
【００１１】
また本発明は、上記飲料供給装置において、前記抽出ユニットと前記生成ユニットとの間であって前記本体キャビネットの後方下部に配設され、内蔵する排気ファンの作用により該抽出ユニット及び該生成ユニットで生じた蒸気を吸引するファンボックスと、前記ファンボックスの前面に形成されたフィルタ開口を通じて、該ファンボックスに挿脱可能に装着されたファンフィルタとを備えたことを特徴とする。
【００１２】
また本発明は、上記飲料供給装置において、前記抽出ユニットで抽出された飲料、並びに前記生成ユニットで生成された飲料を前記容器に吐出するノズルが前記本体キャビネットに設けられたことを特徴とする。
【００１３】
また本発明は、上記飲料供給装置において、前記本体キャビネットの上面における前記抽出ユニットの上方域部分に補充開口が形成されるとともに、該補充開口を開閉するための補充扉が設けられており、前記補充扉は、前記前面扉が前記前面開口を閉塞する場合には、開く方向に揺動することが規制される一方、前記前面扉が前記前面開口を開放する場合には、開く方向に揺動することが許容されることを特徴とする。
【発明の効果】
【００１４】
本発明によれば、飲料原料を粉砕し、粉砕した飲料原料と湯とから飲料を抽出して容器に供給する抽出ユニットが、本体キャビネットの内部において、該本体キャビネットの前面開口を開閉する前面扉が揺動可能に設けられた該本体キャビネットの一側縁部と反対側となる他側縁部側に設置されているので、装置全体の小型化の要請から本体キャビネットの小型化が図られたとしても、抽出ユニットの構成要素を洗浄等のために前面開口を通じて取り出す際に、該前面開口を開放する前面扉と干渉する虞れがない。よって、抽出ユニットの清掃作業を簡易なものとすることができるという効果を奏する。
【図面の簡単な説明】
【００１５】
【図１】図１は、本発明の実施の形態である飲料供給装置の外観構成を示す斜視図である。
【図２】図２は、本発明の実施の形態である飲料供給装置の一部の構成要素を分離させた分解斜視図である。
【図３】図３は、図１及び図２に示した本体キャビネットの内部構造を示す正面図である。
【図４】図４は、図３に示した本体キャビネットの要部を拡大して示す斜視図である。
【図５】図５は、図３及び図４に示した本体キャビネットの内部構造を示す斜視図である。
【図６】図６は、図３に示した本体キャビネットの断面側面図である。
【図７】図７は、図１に示した飲料供給装置の側面図であり、一部を模式的に示している。
【図８】図８は、図３に示した本体キャビネットの内部構造の要部を拡大して示す斜視図である。
【発明を実施するための形態】
【００１６】
以下に添付図面を参照して、本発明に係る飲料供給装置の好適な実施の形態について詳細に説明する。
【００１７】
図１及び図２は、それぞれ本発明の実施の形態である飲料供給装置を示すものであり、図１は、外観構成を示す斜視図であり、図２は、一部の構成要素を分離させた分解斜視図である。ここで例示する飲料供給装置は、例えばコンビニエンスストアやスーパーマーケット等の店舗に設置されるものであり、装置本体１を備えている。
【００１８】
装置本体１は、本体キャビネット１０及び前面扉７０を備えている。本体キャビネット１０は、図３及び図４に示すように、前面に開口（以下、前面開口ともいう）１０ａを有した略直方状の形態を成すものである。この本体キャビネット１０の内部には、図５にも示すように、湯タンク１１、抽出ユニット２０、生成ユニット３０、飲料供給部４０及びファンボックス５０が設けられている。
【００１９】
湯タンク１１は、供給された水を加熱して湯として貯留するものである。この湯タンク１１は、本体キャビネット１０の内部において、左側後方の上方域に設置されている。
【００２０】
抽出ユニット２０は、飲料原料であるコーヒー豆と、湯タンク１１から送出される湯とからコーヒーを抽出するものであり、抽出原料キャニスタ２１、ミル２２、シリンダ２３、フィルタブロック２４とを備えて構成されている。このような抽出ユニット２０は、本体キャビネット１０の内部において、右側前方に設置されている。
【００２１】
抽出原料キャニスタ２１は、飲料原料であるコーヒー豆を収納するものである。ミル２２は、抽出原料キャニスタ２１の下方に設置され、該抽出原料キャニスタ２１から吐出されたコーヒー豆を粉砕するものである。
【００２２】
シリンダ２３は、ミル２２の下方に設置され、該ミル２２からコーヒーの挽き豆が投入されるとともに、湯タンク１１から湯が投入されるものである。
【００２３】
フィルタブロック２４は、シリンダ２３の下方において、該シリンダ２３に近接離反するよう上下方向に移動可能に設置されており、例えば金属メッシュ等のフィルタを有している。
【００２４】
そのような抽出ユニット２０では、ミル２２で抽出原料キャニスタ２１から吐出されたコーヒー豆を粉砕してコーヒー挽き豆を得、そのコーヒー挽き豆をシリンダ２３に投入するとともに、湯タンク１１に貯留された湯をシリンダ２３に投入する。シリンダ２３では、投入されたコーヒー挽き豆と湯とでコーヒー挽き豆を蒸らした後、湯で撹拌して調理する。その後、コーヒー挽き豆をろ過してフィルタブロック２４内にコーヒーを抽出する。そして、フィルタブロック２４内に抽出したコーヒーを後述するノズル６０に送出する。
【００２５】
上記抽出ユニット２０の下方には、収容箱２５が設置されている。この収容箱２５は、抽出ユニット２０を構成するフィルタブロック２４の下方域に配置されている。この収容箱２５は、抽出ユニット２０部での飲料の抽出により生じた抽出滓（図示せず）を収容するものである。
【００２６】
生成ユニット３０は、飲料原料である粉末原料と、湯タンク１１から送出される湯とから飲料を生成するものであり、粉末原料キャニスタ３１及びミキシングボール３２を備えて構成されている。このような生成ユニット３０は、本体キャビネット１０の内部において、湯タンク１１の前方側であって抽出ユニット２０の左側となる、左側前方に設置されている。
【００２７】
粉末原料キャニスタ３１は、複数（図示の例では３つ）設けられ、それぞれが湯タンク１１の前方側において左右に並ぶよう設置されている。これら粉末原料キャニスタ３１は、それぞれ異なる種類の粉末原料を収納するものである。
【００２８】
ミキシングボール３２は、複数（図示の例では３つ）設けられている。そのようなミキシングボール３２は、対応する粉末原料キャニスタ３１から投入された粉末原料と、湯タンク１１から投入された湯とを撹拌するものである。
【００２９】
そのような生成ユニット３０では、いずれかの粉末原料キャニスタ３１から吐出された粉末原料をミキシングボール３２に投入するとともに、湯タンク１１に貯留された湯をミキシングボール３２に投入する。ミキシングボール３２では、投入された粉末原料と湯とを撹拌して調理し、生成した飲料をノズル６０に送出する。
【００３０】
飲料供給部４０は、抽出ユニット２０や生成ユニット３０の前方側であって、本体キャビネット１０の前方下部に設けられており、ステージ４１を有している。ステージ４１は、例えばカップ等の容器Ｃ（図２参照）を載置させるものであり、円弧状のストッパ４２が設けられている。かかるステージ４１の下部には、図６に示すように、飲料等の排水を貯留する排水トレイ４３が設置されている。
【００３１】
上記ステージ４１の上方にはノズル６０が設けられている。ノズル６０は、複数設けられており、抽出ユニット２０に接続されたものや各ミキシングボール３２に接続された状態で、支持部材６１を介して本体キャビネット１０に取り付けられている。これらノズル６０は、供給された飲料を、ステージ４１に載置された容器Ｃに吐出して供給するものである。
【００３２】
ファンボックス５０は、抽出ユニット２０と生成ユニット３０との間であって、本体キャビネット１０の後方下部に配設されている。このファンボックス５０は、略直方状の形態を成しており、図示せぬ排気ファンを内蔵している。そして、排気ファンが駆動することにより、吸引ホース５１を通じて抽出ユニット２０及び生成ユニット３０で生じた蒸気を吸引するもので、吸引した蒸気を本体キャビネット１０の後面下部に形成された排出部１２より外部に排出するものである。
【００３３】
かかるファンボックス５０の前面には、フィルタ開口５２（図８参照）が形成されており、このフィルタ開口５２を通じてファンフィルタ５３が挿脱可能に装着されている。
【００３４】
前面扉７０は、本体キャビネット１０の前面開口１０ａを開閉する扉体であり、本体キャビネット１０の前方側の左側縁部において、軸支部７０ａにより上下方向に沿って延在する軸部の中心軸回りに揺動可能に設けられている。
【００３５】
この前面扉７０は、表示部７１、開口部７２及び開閉扉７３を有している。表示部７１は、例えば液晶タッチパネルにより構成されており、各種情報を表示するとともに、タッチ操作等の入力操作が可能である。この表示部７１は、タッチ操作等の入力操作が行われた場合、所定の販売信号を図示せぬ制御部に与えるものである。
【００３６】
開口部７２は、表示部７１の下方側に設けられており、飲料供給部４０を前方に向けて露出させるものである。開閉扉７３は、例えば透明な樹脂等の透光性材料により構成されるものであり、開口部７２を覆うのに十分な大きさを有している。この開閉扉７３は、左側端部が前面扉７０に軸支されており、前後方向に沿って揺動可能なものである。つまり開閉扉７３は、飲料供給部４０に対して近接離反する態様で前後方向に沿って揺動可能であり、飲料供給部４０に近接する態様で後方に揺動する場合に開口部７２を閉成させることが可能であり、飲料供給部４０から離隔する態様で前方に揺動する場合に開口部７２を開成させることが可能である。
【００３７】
ところで、本体キャビネット１０の上面の右側部分、すなわち抽出ユニット２０の抽出原料キャニスタ２１の上方域には補充開口１０ｂが形成されるとともに、該補充開口１０ｂを開閉するための補充扉１３が設けられている。かかる補充扉１３には、前方に向けて突出する把手１３ａが設けられている。
【００３８】
把手１３ａは、補充扉１３が補充開口１０ｂを閉成している状態で、前面扉７０が前面開口１０ａを閉塞する場合に、図７に示すように、前面扉７０に設けられた凹部７４に挿入されている。そのため、補充扉１３は、前面扉７０が前面開口１０ａを閉塞する場合には、開く方向に揺動することが規制される一方、前面扉７０が前面開口１０ａを開放する場合には、把手１３ａが凹部７４から相対的に離脱することで、開く方向に揺動することが許容されている。
【００３９】
以上説明したように、本発明の実施の形態である飲料供給装置においては、前面扉７０が本体キャビネット１０の前方側の左側縁部に軸部の中心軸回りに揺動可能に設けられており、抽出ユニット２０が本体キャビネット１０の内部において右側前方に設置されている。つまり、前面扉７０が、前面開口１０ａを開閉する態様で本体キャビネット１０の一側縁部に揺動可能に設けられ、抽出ユニット２０が、本体キャビネット１０の内部における他側縁部側に設置されている。これにより、装置全体の小型化の要請から本体キャビネット１０の小型化が図られたとしても、抽出ユニット２０のシリンダ２３等を洗浄等のために前面開口１０ａを通じて取り出す際に、該前面開口１０ａを開放する前面扉７０と干渉する虞れがない。
【００４０】
よって、上記飲料供給装置によれば、抽出ユニット２０の清掃作業を簡易なものとすることができる。しかも、収容箱２５も抽出ユニット２０の下方域に設置されているので、抽出滓の廃棄のために収容箱２５を取り出す際に、前面開口１０ａを開放する前面扉７０と干渉する虞れがなく、廃棄作業を簡易なものとすることができる。
【００４１】
また上記飲料供給装置によれば、ファンボックス５０が抽出ユニット２０と生成ユニット３０との間であって本体キャビネット１０の後方下部に配設されており、このファンボックス５０の前面に形成されたフィルタ開口５２を通じて、ファンフィルタ５３がファンボックス５０に挿脱可能に装着されているので、前面扉７０が前面開口１０ａを開放する場合に、図８に示すように、ファンフィルタ５３を前方に引き出すだけでファンフィルタ５３の取り出しを容易に行うことができ、清掃後のファンフィルタ５３の装着も容易に行うことができる。よって、ファンフィルタ５３の清掃作業を簡易なものとすることができる。
【００４２】
更に上記飲料供給装置によれば、ノズル６０が支持部材６１を介して本体キャビネット１０に取り付けられているので、抽出ユニット２０や生成ユニット３０からノズル６０へ飲料を供給する飲料供給ホース６２の長さを必要十分な大きさにすることができる。つまり、ノズルを前面扉７０に設置する場合には、前面扉７０が本体キャビネット１０に対して開閉移動するために、その移動分の大きさを考慮して飲料供給ホース６２の長さを十分な大きさにする必要があるが、ノズル６０が本体キャビネット１０に設けられていることにより、ノズル６０と抽出ユニット２０等との距離が一定であり、飲料供給ホース６２の長さを結果的に短くすることができる。そのため、飲料供給ホース６２の収納スペースを小さくすることができる。
【００４３】
また更に上記飲料供給装置によれば、本体キャビネット１０の上面に補充開口１０ｂが設けられているので、装置全体の小型化の要請から本体キャビネット１０の小型化が図られたとしても、コーヒー豆の補充を良好に行うことができる。しかも補充開口１０ｂを開閉する補充扉１３は、前面扉７０が前面開口１０ａを閉塞する場合には、補充開口１０ｂを開く方向に揺動することが規制されているので、悪戯等で補充扉１３が無理に揺動させられて、異物等が入れられる虞れがない。
【００４４】
以上、本発明の好適な実施の形態について説明したが、本発明はこれに限定されるものではなく、種々の変更を行うことができる。
【００４５】
上述した実施の形態では、前面扉７０が本体キャビネット１０の左側縁部に揺動可能に設けられ、抽出ユニット２０が本体キャビネット１０の内部における右側前方に設けられていたが、本発明においては、前面扉が、前面開口を開閉する態様で本体キャビネットの一側縁部に揺動可能に設けられ、抽出ユニットが、本体キャビネットの内部における他側縁部側に設置されていれば、その方向は特に限定されるものではない。
【符号の説明】
【００４６】
１  装置本体
１０  本体キャビネット
１０ａ  前面開口
１０ｂ  補充開口
１１  湯タンク
１３  補充扉
１３ａ  把手
２０  抽出ユニット
２１  抽出原料キャニスタ
２２  ミル
２３  シリンダ
２４  フィルタブロック
２５  収容箱
３０  生成ユニット
３１  粉末原料キャニスタ
３２  ミキシングボール
４０  飲料供給部
４１  ステージ
４２  ストッパ
４３  排水トレイ
５０  ファンボックス
５２  フィルタ開口
５３  ファンフィルタ
６０  ノズル
７０  前面扉
７１  表示部
７２  開口部
７３  開閉扉
７４  凹部
Ｃ  容器
【図１】
2020080002.tif 000003
【図２】
2020080002.tif 000004
【図３】
2020080002.tif 000005
【図４】
2020080002.tif 000006
【図５】
2020080002.tif 000007
【図６】
2020080002.tif 000008
【図７】
2020080002.tif 000009
【図８】
2020080002.tif 000010